(57)【要約】【課題】上位ノードに対して一度に処理することができるデータ量を超えるＴＣＰレイヤのデータを送信してしまうという事態を回避する。【解決手段】本発明に係る無線基地局ｅＮＢは、ルータ１からＴＣＰレイヤのデータを受信し、移動局ＵＥからＴＣＰ-ＡＣＫを受信するように構成されている受信部１２と、ＴＣＰレイヤのデータを移動局ＵＥに対して送信し、ＴＣＰ-ＡＣＫをルータに対して送信するように構成されている送信部１３とを具備しており、送信部１３は、一度にルータ１に対して送信するＴＣＰ-ＡＣＫのデータ量を所定量Ｘ以下に制限するように構成されている。【選択図】図３
2014220612.tif 000002
【特許請求の範囲】
【請求項１】
無線基地局であって、
上位ノードからＴＣＰレイヤのデータを受信し、移動局から該ＴＣＰレイヤのデータに対する送達確認信号を受信するように構成されている受信部と、
前記ＴＣＰレイヤのデータを前記移動局に対して送信し、前記送達確認信号を前記上位ノードに対して送信するように構成されている送信部とを具備しており、
前記送信部は、一度に前記上位ノードに対して送信する前記送達確認信号のデータ量を所定量以下に制限するように構成されていることを特徴とする無線基地局。
【請求項２】
前記送信部は、前記所定量を超える前記送達確認信号をバッファリングし、所定期間経過後に、バッファリングしていた該送達確認信号を前記上位ノードに対して送信するように構成されていることを特徴とする請求項１に記載の無線基地局。
【請求項３】
下りリンクにおけるＩＰパケットの平均サイズに基づいて、前記所定量を算出するように構成されている算出部を更に具備していることを特徴とする請求項１又は２に記載の無線基地局。
【請求項４】
前記受信部によって所定時間内に受信された前記ＴＣＰレイヤのデータの合計値の最大値に基づいて、前記所定量を算出するように構成されている算出部を更に具備していることを特徴とする請求項１又は２に記載の無線基地局。
【請求項５】
前記所定量は、データフロー又はベアラごとに設定されるように構成されていることを特徴とする請求項１乃至４のいずれか一項に記載の無線基地局。
【請求項６】
上位ノードが、無線基地局に対して、ＴＣＰレイヤのデータを送信する工程Ａと、
前記無線基地局が、移動局に対して、前記ＴＣＰレイヤのデータを送信する工程Ｂと、
前記移動局が、前記無線基地局に対して、前記ＴＣＰレイヤのデータに対する送達確認信号を送信する工程Ｃと、
前記無線基地局が、前記上位ノードに対して、前記送達確認信号を送信する工程Ｄと、
前記上位ノードが、前記送達確認信号の受信状況に応じて、前記無線基地局に対して送信すべきＴＣＰレイヤのデータ量を決定する工程Ｅとを有しており、
前記工程Ｄにおいて、前記無線基地局は、一度に前記上位ノードに対して送信する前記送達確認信号のデータ量を所定量以下に制限することを特徴とする移動通信方法。
【請求項７】
無線基地局であって、
移動局からＴＣＰレイヤのデータを受信し、上位ノードから該ＴＣＰレイヤのデータに対する送達確認信号を受信するように構成されている受信部と、
前記ＴＣＰレイヤのデータを前記上位ノードに対して送信し、前記送達確認信号を前記移動局に対して送信するように構成されている送信部とを具備しており、
前記送信部は、一度に前記移動局に対して送信する前記送達確認信号のデータ量を所定量以下に制限するように構成されていることを特徴とする無線基地局。
【請求項８】
無線基地局であって、
移動局からＴＣＰレイヤのデータを受信し、上位ノードから該ＴＣＰレイヤのデータに対する送達確認信号を受信するように構成されている受信部と、
前記ＴＣＰレイヤのデータを前記上位ノードに対して送信し、前記送達確認信号を前記移動局に対して送信するように構成されている送信部とを具備しており、
前記送信部は、一度に前記上位ノードに対して送信する前記ＴＣＰレイヤのデータ量を所定量以下に制限するように構成されていることを特徴とする無線基地局。
【発明の詳細な説明】
【技術分野】
【０００１】
本発明は、無線基地局及び移動通信方法に関する。
【背景技術】
【０００２】
ＴＣＰ（Ｔｒａｎｓｍｉｓｓｉｏｎ  Ｃｏｎｔｒｏｌ  Ｐｒｏｔｏｃｏｌ）レイヤでは、送信側装置は、受信側装置に対して送信したＴＣＰパケット（ＴＣＰレイヤのデータ）に対する送達確認信号（ＴＣＰ-ＡＣＫ）の受信状況に応じて、次に受信側装置に対して送信するＴＣＰパケットの数を決定するように構成されている。
【０００３】
具体的には、図６に示すように、ＴＣＰレイヤでは、送信側装置は、ＴＣＰ-ＡＣＫを受信できれば、次に受信側装置に対して送信するＴＣＰパケットの数を増やし、ＴＣＰ-ＡＣＫを受信できなければ、次に受信側装置に対して送信するＴＣＰパケットの数を減らすように構成されている。
【０００４】
また、ＲＬＣ（Ｒａｄｉｏ  Ｌｉｎｋ  Ｃｏｎｔｒｏｌ）レイヤでは、ＲＬＣパケット（ＲＬＣレイヤのデータ）を順序通りに抜けなく送受信するために、ウィンドウ制御を行っている。
【０００５】
特に、受信側装置は、ＲＬＣレイヤにおいて、順序補正制御（ＲＬＣ  ｒｅｏｒｄｅｒｉｎｇ制御）及び重複破棄制御を行うように構成されている。
【０００６】
具体的には、図７に示すように、ＲＬＣレイヤでは、送信側装置は、送信側ウィンドウ（Ｔｘ  ｗｉｎｄｏｗ）内に含まれるＳＮ（Ｓｅｑｕｅｎｃｅ  Ｎｕｍｂｅｒ）を有するＲＬＣパケットを順番に新規に送信し、送信側ウィンドウ内に未送信のＲＬＣパケットが存在しなくなった時点で、ＲＬＣパケットの新規送信を停止するように構成されている。
【０００７】
ここで、送信側装置は、受信側装置から受信した「Ｓｔａｔｕｓ  ｒｅｐｏｒｔ（ＡＣＫ）」に基づいて、送信側ウィンドウを更新するように構成されている。
【０００８】
一方、図７に示すように、ＲＬＣレイヤでは、受信側装置は、受信側ウィンドウ（Ｒｘ  ｗｉｎｄｏｗ）を管理しており、受信側ウィンドウ内に含まれるＳＮを有するＲＬＣパケット（ＲＬＣ-ＰＤＵ）のみを受信バッファに格納し、それ以外のＲＬＣパケット（ＲＬＣ-ＰＤＵ）については破棄するように構成されている。
【０００９】
ここで、受信側装置は、ＳＮに抜けがある場合には、受信側ウィンドウを更新せず、抜けていたＳＮを有するＲＬＣパケット（ＲＬＣ-ＰＤＵ）の受信に成功した場合に、受信側ウィンドウを更新するように構成されている。
【先行技術文献】
【非特許文献】
【００１０】
【非特許文献１】３ＧＰＰ  ＴＳ３６.３２２  ｖ１０.０.０
【発明の概要】
【発明が解決しようとする課題】
【００１１】
現在、ＬＴＥ（Ｌｏｎｇ  Ｔｅｒｍ  Ｅｖｏｌｕｔｉｏｎ）方式の無線基地局ｅＮＢは、図８及び図９に示すように、上位ノードであるルータ１において一度に処理することができるデータ量（帯域）を意識することなく、移動局ＵＥから受信したＴＣＰ-ＡＣＫを一度にルータ１に対して送信するように構成されている。
【００１２】
例えば、図８に示すように、無線基地局ｅＮＢは、ＲＬＣレイヤにおいて、ＳＮ＃０のＴＣＰパケットに対するＴＣＰ-ＡＣＫを含むＲＬＣパケット＃０を受信していないため、順序補正制御によって、ＳＮ＃１〜＃４のＴＣＰパケットに対するＴＣＰ-ＡＣＫを含むＲＬＣパケット＃１〜＃４をバッファリングしている。
【００１３】
その後、図９に示すように、無線基地局ｅＮＢは、ＲＬＣレイヤにおいて、ＳＮ＃０のＴＣＰパケットに対するＴＣＰ-ＡＣＫを含むＲＬＣパケット＃０の受信に成功した場合、ＴＣＰレイヤにおいて、ＳＮ＃０〜＃４のＴＣＰパケットに対するＴＣＰ-ＡＣＫを一度にルータ１に送信する。
【００１４】
ここで、図１０に示すように、ＴＣＰサーバ２は、ＳＮ＃０〜＃４のＴＣＰパケットに対するＴＣＰ-ＡＣＫを一気に受信したため、ルータ１に対して、大量のＴＣＰパケットを送信してしまう。
【００１５】
その結果、ルータ１が、一度に処理できるデータ量を超えるＴＣＰパケットを受信すると、かかるデータ量を超えたＴＣＰパケットについては破棄してしまうという問題点があった。
【００１６】
そこで、本発明は、上述の課題に鑑みてなされたものであり、上位ノードに対して一度に処理することができるデータ量を超えるＴＣＰレイヤのデータを送信してしまうという事態を回避することができる無線基地局及び移動通信方法を提供することを目的とする。
【課題を解決するための手段】
【００１７】
本発明の第１の特徴は、無線基地局であって、上位ノードからＴＣＰレイヤのデータを受信し、移動局から該ＴＣＰレイヤのデータに対する送達確認信号を受信するように構成されている受信部と、前記ＴＣＰレイヤのデータを前記移動局に対して送信し、前記送達確認信号を前記上位ノードに対して送信するように構成されている送信部とを具備しており、前記送信部は、一度に前記上位ノードに対して送信する前記送達確認信号のデータ量を所定量以下に制限するように構成されていることを要旨とする。
【００１８】
本発明の第２の特徴は、移動通信方法であって、上位ノードが、無線基地局に対して、ＴＣＰレイヤのデータを送信する工程Ａと、前記無線基地局が、移動局に対して、前記ＴＣＰレイヤのデータを送信する工程Ｂと、前記移動局が、前記無線基地局に対して、前記ＴＣＰレイヤのデータに対する送達確認信号を送信する工程Ｃと、前記無線基地局が、前記上位ノードに対して、前記送達確認信号を送信する工程Ｄと、前記上位ノードが、前記送達確認信号の受信状況に応じて、前記無線基地局に対して送信すべきＴＣＰレイヤのデータ量を決定する工程Ｅとを有しており、前記工程Ｄにおいて、前記無線基地局は、一度に前記上位ノードに対して送信する前記送達確認信号のデータ量を所定量以下に制限することを要旨とする。
【００１９】
本発明の第３の特徴は、無線基地局であって、移動局からＴＣＰレイヤのデータを受信し、上位ノードから該ＴＣＰレイヤのデータに対する送達確認信号を受信するように構成されている受信部と、前記ＴＣＰレイヤのデータを前記上位ノードに対して送信し、前記送達確認信号を前記移動局に対して送信するように構成されている送信部とを具備しており、前記送信部は、一度に前記移動局に対して送信する前記送達確認信号のデータ量を所定量以下に制限するように構成されていることを要旨とする。
【００２０】
本発明の第４の特徴は、無線基地局であって、移動局からＴＣＰレイヤのデータを受信し、上位ノードから該ＴＣＰレイヤのデータに対する送達確認信号を受信するように構成されている受信部と、前記ＴＣＰレイヤのデータを前記上位ノードに対して送信し、前記送達確認信号を前記移動局に対して送信するように構成されている送信部とを具備しており、前記送信部は、一度に前記上位ノードに対して送信する前記ＴＣＰレイヤのデータ量を所定量以下に制限するように構成されていることを要旨とする。
【発明の効果】
【００２１】
以上説明したように、本発明によれば、上位ノードに対して一度に処理することができるデータ量を超えるＴＣＰレイヤのデータを送信してしまうという事態を回避することができる無線基地局及び移動通信方法を提供することができる。
【図面の簡単な説明】
【００２２】
【図１】本発明の第１の実施形態に係る移動通信システムの全体構成及び動作を説明するための図である。
【図２】本発明の第１の実施形態に係る無線基地局ｅＮＢの機能ブロック図である。
【図３】本発明の第１の実施形態に係る移動通信システムの全体構成及び動作を説明するための図である。
【図４】本発明の第１の実施形態に係る移動通信システムの全体構成及び動作を説明するための図である。
【図５】本発明の第１の実施形態に係る無線基地局ｅＮＢの動作を示すフローチャートである。
【図６】従来技術を説明するための図である。
【図７】従来技術を説明するための図である。
【図８】従来技術を説明するための図である。
【図９】従来技術を説明するための図である。
【図１０】従来技術を説明するための図である。
【発明を実施するための形態】
【００２３】
（本発明の第１の実施形態に係る移動通信システム）
図１乃至図５を参照して、本発明の第１の実施形態に係る移動通信システムについて説明する。
【００２４】
図１に示すように、本実施形態に係る移動通信システムは、移動局ＵＥと、無線基地局ｅＮＢと、ルータ１と、ＴＣＰサーバ２とを具備している。
【００２５】
本実施形態に係る移動局ＵＥ及び無線基地局ｅＮＢは、ＲＬＣレイヤにおいて、順序補正制御及び重複破棄制御を行うように構成されていてもよい。
【００２６】
図２に示すように、本実施形態に係る無線基地局ｅＮＢは、算出部１１と、受信部１２と、送信部１３とを具備している。
【００２７】
算出部１１は、一度にルータ１に対して送信するＴＣＰ-ＡＣＫのデータ量を規定する所定量Ｘを算出するように構成されている。
【００２８】
例えば、算出部１１は、下りリンクにおけるＩＰパケットの平均サイズ（平均ＤＬ  ＩＰ  ｐａｃｋｅｔ  ｓｉｚｅ）に基づいて、所定量Ｘを算出するように構成されていてもよい。
【００２９】
或いは、算出部１１は、受信部１２によって所定時間内に受信されたＴＣＰレイヤのデータ（ＴＣＰパケット/ＴＣＰセグメント）の合計値の最大値に基づいて、所定量Ｘを算出するように構成されていてもよい。
【００３０】
なお、算出部１１は、周期的に、所定量Ｘを更新するように構成されていてもよい。また、複数のデータフロー（Ｄａｔａ  ｆｌｏｗ）又はベアラ（Ｂｅａｒｅｒ）が設定されている場合には、所定量Ｘは、データフロー又はベアラごとに設定されるように構成されていてもよい。
【００３１】
受信部１２は、ルータ１からＴＣＰパケットを受信し、移動局ＵＥからＴＣＰ-ＡＣＫを受信するように構成されている。
【００３２】
送信部１３は、ＴＣＰパケットを移動局ＵＥに対して送信し、ＴＣＰ-ＡＣＫをルータに対して送信するように構成されている。
【００３３】
また、送信部１３は、一度にルータ１に対して送信するＴＣＰ-ＡＣＫのデータ量を所定量Ｘ以下に制限するように構成されている。
【００３４】
ここで、所定量Ｘは、ＴＣＰ-ＡＣＫの数によって規定されていてもよいし、バイト量やビット量といったデータ量そのもので規定されていてもよい。
【００３５】
なお、送信部１３は、所定量Ｘを超えるＴＣＰ-ＡＣＫをバッファリングし、所定期間経過後に、バッファリングしていたＴＣＰ-ＡＣＫをルータ１に対して送信するように構成されていてもよい。
【００３６】
以下、図１、図３乃至図５を参照して、本実施形態に係る移動通信システムの動作について説明する。
【００３７】
第１に、図１、図３及び図４を参照して、本実施形態に係る移動通信システムにおいてＴＣＰサーバ２によってＴＣＰパケットを送信する際の動作について説明する。
【００３８】
図１に示すように、無線基地局ｅＮＢは、ステップＳ１０１において、ルータ１を経由してＴＣＰサーバ２によって送信されたＳＮ＃０〜＃４のＴＣＰパケットを受信し、移動局ＵＥに対して、かかるＳＮ＃０〜＃４のＴＣＰパケットを送信する。
【００３９】
ステップＳ１０２において、移動局ＵＥは、無線基地局ｅＮＢに対して、ＳＮ＃０〜＃４のＴＣＰパケットに対するＴＣＰ-ＡＣＫを含むＲＬＣパケット＃０〜＃４を送信する。
【００４０】
図１の例では、移動局ＵＥは、ＳＮ＃０のＴＣＰパケットに対するＴＣＰ-ＡＣＫを含むＲＬＣパケット＃０の送信に失敗し、かかるＲＬＣパケット＃０の再送を行っている。
【００４１】
ステップＳ１０３において、無線基地局ｅＮＢは、ＲＬＣレイヤにおいて、ＳＮ＃０のＴＣＰパケットに対するＴＣＰ-ＡＣＫを含むＲＬＣパケット＃０を受信していないため、順序補正制御によって、ＳＮ＃１〜＃４のＴＣＰパケットに対するＴＣＰ-ＡＣＫを含むＲＬＣパケット＃１〜＃４をバッファリングしている。
【００４２】
その後、図３に示すように、無線基地局ｅＮＢは、ＲＬＣレイヤにおいて、ＳＮ＃０のＴＣＰパケットに対するＴＣＰ-ＡＣＫを含むＲＬＣパケット＃０の受信に成功した場合、ステップＳ１０４において、ＴＣＰレイヤにおいて、ＳＮ＃０〜＃２のＴＣＰパケットに対するＴＣＰ-ＡＣＫを一度にルータ１に送信し、ステップＳ１０５において、所定量Ｘ（図３の例では、３個のＴＣＰ-ＡＣＫに対応するデータ量）を超えるＳＮ＃３〜＃４のＴＣＰパケットに対するＴＣＰ-ＡＣＫ（或いは、かかるＴＣＰ-ＡＣＫを含むＲＬＣパケット＃３〜＃４）についてはバッファリングを継続する。
【００４３】
ここで、図４に示すように、ＴＣＰサーバ２は、ＳＮ＃０〜＃２のＴＣＰパケットに対するＴＣＰ-ＡＣＫを受信したため、次に受信側装置に対して送信するＴＣＰパケットの数を「４」に増やし、ステップＳ１０６において、ＳＮ＃５〜＃８を有するＴＣＰパケットをルータ１に対して送信する。
【００４４】
例えば、本実施形態では、ルータ１において一度に処理することができるデータ量（ＴＣＰパケットの数）は「４」であるため、ルータ１は、ＳＮ＃５〜＃８を有するＴＣＰパケットを破棄することなく処理することができる。
【００４５】
その後、ステップＳ１０６において、無線基地局ｅＮＢは、所定期間経過後に、バッファリングしていたＳＮ＃３〜＃４のＴＣＰパケットに対するＴＣＰ-ＡＣＫをルータ１に対して送信する。
【００４６】
第２に、図５を参照して、本実施形態に係る無線基地局ｅＮＢの動作について説明する。
【００４７】
図５に示すように、ステップＳ１０１において、無線基地局ｅＮＢは、バッファリングされており次にルータ１に対して送信するＴＣＰ-ＡＣＫのデータ量が所定量Ｘよりも小さいか否かについて判定する。
【００４８】
「Ｙｅｓ」の場合、本動作は、ステップＳ１０２に進み、「Ｎｏ」の場合、本動作は、ステップＳ１０３に進む。
【００４９】
ステップＳ１０３において、無線基地局ｅＮＢは、バッファリングしている全てのＴＣＰ-ＡＣＫをルータ１に対して送信する。
【００５０】
一方、ステップＳ１０４において、無線基地局ｅＮＢは、バッファリングしている全てのＴＣＰ-ＡＣＫのうち、所定量Ｘ以下のデータ量のＴＣＰ-ＡＣＫについてルータ１に対して送信し、残りのＴＣＰ-ＡＣＫについてはバッファリングを継続する。
【００５１】
（変更例１）
以下、本発明の変更例１に係る移動通信システムについて、上述の第１の実施形態に係る移動通信システムとの相違点に着目して説明する。
【００５２】
本変更例１に係る移動通信システムは、上りリンクにおいて送信されるＴＣＰパケットについて規定するものである。
【００５３】
具体的には、無線基地局ｅＮＢの受信部１２は、移動局ＵＥからＴＣＰパケットを受信し、ルータ１からＴＣＰ-ＡＣＫを受信するように構成されており、無線基地局ｅＮＢの送信部１３は、ＴＣＰパケットをルータ１に対して送信し、ＴＣＰ-ＡＣＫを移動局ＵＥに対して送信するように構成されている。
【００５４】
そして、送信部１３は、一度に移動局ＵＥに対して送信するＴＣＰ-ＡＣＫのデータ量を所定量Ｘ以下に制限するように構成されている。
【００５５】
以下、本変更例１に係る移動通信システムにおいて移動局ＵＥによってＴＣＰパケットを送信する際の動作について説明する。
【００５６】
まず、無線基地局ｅＮＢは、ルータ１において一度に受信可能なＴＣＰパケットのデータ量（或いは、ＴＣＰパケットの数）及び上りリンクにおけるＩＰパケットの平均サイズ（平均ＵＬ  ＩＰ  ｐａｃｋｅｔ  ｓｉｚｅ）に基づいて、所定量Ｘを算出しておく。なお、無線基地局ｅＮＢは、周期的に、かかる所定量Ｘを更新してもよい。
【００５７】
第１に、無線基地局ｅＮＢは、移動局ＵＥによって送信されたＴＣＰパケットを受信し、ルータ１に対して、かかるＴＣＰパケットを送信する。
【００５８】
第２に、ＴＣＰサーバ２は、ルータ１を介して、無線基地局ｅＮＢに対して、受信したＴＣＰパケットに対するＴＣＰ-ＡＣＫを送信する。
【００５９】
第３に、無線基地局ｅＮＢは、受信したＴＣＰ-ＡＣＫのデータ量が所定量Ｘよりも小さい場合には、かかるＴＣＰ-ＡＣＫの全てを一度に移動局ＵＥに対して送信する。
【００６０】
一方、無線基地局ｅＮＢは、受信したＴＣＰ-ＡＣＫのデータ量が所定量Ｘよりも大きい場合には、所定量Ｘ以下のデータ量のＴＣＰ-ＡＣＫを一度に移動局ＵＥに送信し、所定量Ｘを超えるＴＣＰ-ＡＣＫ（或いは、かかるＴＣＰ-ＡＣＫを含むＲＬＣパケット）についてはバッファリングする。
【００６１】
その結果、移動局ＵＥが、所定量Ｘ以下のＴＣＰ-ＡＣＫを受信したため、次に受信側装置に対して送信するＴＣＰパケットの数を増やすが、かかるパケットの数が、ルータ１において一度に受信可能なＴＣＰパケットのデータ量を超えないように調整される。
【００６２】
その後、無線基地局ｅＮＢは、所定期間経過後に、バッファリングしていたＴＣＰ-ＡＣＫを移動局ＵＥに対して送信する。
【００６３】
（変更例２）
以下、本発明の変更例２に係る移動通信システムについて、上述の第１の実施形態及び変更例１に係る移動通信システムとの相違点に着目して説明する。
【００６４】
本変更例２に係る移動通信システムは、上りリンクにおいて送信されるＴＣＰパケットについて規定するものである。
【００６５】
本変更例２に係る無線基地局ｅＮＢの送信部１３は、一度に移動局ＵＥに対して送信するＴＣＰ-ＡＣＫのデータ量を制限しないように構成されている。
【００６６】
一方、送信部１３は、一度にルータ１に対して送信するＴＣＰパケットのデータ量を所定量Ｘ以下に制限するように構成されている。
【００６７】
ここで、送信部１３は、所定量Ｘを超えるＴＣＰパケット（或いは、ＴＣＰパケットを含むＲＬＣパケット）についてはバッファリングし、所定期間経過後に、バッファリングしていたＴＣＰパケットをルータ１に対して送信するように構成されていてもよい。
【００６８】
受信部１２が、ルータ１からＴＣＰ-ＡＣＫを受信した場合に、送信部１３は、次に受信側装置に対して送信するＴＣＰパケットの数について、所定量Ｘを超えないように増加させるように構成されていてもよい。
【００６９】
以上に述べた本実施形態の特徴は、以下のように表現されていてもよい。
【００７０】
本実施形態の第１の特徴は、無線基地局ｅＮＢであって、ルータ１（上位ノード）からＴＣＰレイヤのデータを受信し、移動局ＵＥからＴＣＰ-ＡＣＫ（ＴＣＰレイヤのデータに対する送達確認信号）を受信するように構成されている受信部１２と、ＴＣＰレイヤのデータを移動局ＵＥに対して送信し、ＴＣＰ-ＡＣＫをルータに対して送信するように構成されている送信部１３とを具備しており、送信部１３は、一度にルータ１に対して送信するＴＣＰ-ＡＣＫのデータ量を所定量Ｘ以下に制限するように構成されていることを要旨とする。
【００７１】
かかる特徴によれば、無線基地局ｅＮＢにおいて、一度にルータ１に対して送信するＴＣＰ-ＡＣＫのデータ量を所定量Ｘ以下に制限することによって、ＴＣＰサーバ２において、次にルータ１に対して送信するＴＣＰパケットの数を、ルータ１において一度に処理することができるデータ量を超えないように調整することができる。
【００７２】
本実施形態の第１の特徴において、送信部１３は、所定量Ｘを超えるＴＣＰ-ＡＣＫをバッファリングし、所定期間経過後に、バッファリングしていたＴＣＰ-ＡＣＫをルータ１に対して送信するように構成されていてもよい。
【００７３】
かかる特徴によれば、無線基地局ｅＮＢにおいて、所定量Ｘを超えるＴＣＰ-ＡＣＫについても破棄することなく、ＴＣＰサーバ２においてルータ１に対して一度に処理することができるデータ量を超えるＴＣＰパケットを送信してしまうという事態を回避することができる。
【００７４】
本実施形態の第１の特徴において、下りリンクにおけるＩＰパケットの平均サイズに基づいて、所定量Ｘを算出するように構成されている算出部１１を更に具備していてもよい。
【００７５】
かかる特徴によれば、ＴＣＰサーバ２からルータ１に対して送信されるＩＰパケットの平均サイズに基づいて適切な所定量Ｘを算出することができる。
【００７６】
本実施形態の第１の特徴において、受信部１２によって所定時間内に受信されたＴＣＰレイヤのデータの合計値の最大値に基づいて、所定量Ｘを算出するように構成されている算出部１１を更に具備していてもよい。
【００７７】
かかる特徴によれば、ＴＣＰサーバ２からルータ１に対して所定時間内に送信されるＴＣＰパケットの合計値の最大値に基づいて適切な所定量Ｘを算出することができる。
【００７８】
本実施形態の第１の特徴において、所定量Ｘは、データフロー又はベアラごとに設定されるように構成されていてもよい。
【００７９】
かかる特徴によれば、各データフロー又は各ベアラにおけるＴＣＰパケットの送信状況に応じて適切な所定量Ｘを算出することができる。
【００８０】
本実施形態の第２の特徴は、移動通信方法であって、ルータ１が、無線基地局ｅＮＢに対して、ＴＣＰレイヤのデータを送信する工程Ａと、無線基地局ｅＮＢが、移動局ＵＥに対して、ＴＣＰレイヤのデータを送信する工程Ｂと、移動局ＵＥが、無線基地局ｅＮＢに対して、ＴＣＰ-ＡＣＫを送信する工程Ｃと、無線基地局ｅＮＢが、ルータ１に対して、ＴＣＰ-ＡＣＫを送信する工程Ｄと、ルータ１が、ＴＣＰ-ＡＣＫの受信状況に応じて、無線基地局ｅＮＢに対して送信すべきＴＣＰレイヤのデータ量を決定する工程Ｅとを有しており、工程Ｄにおいて、無線基地局ｅＮＢは、一度にルータ１に対して送信するＴＣＰ-ＡＣＫのデータ量を所定量Ｘ以下に制限することを要旨とする。
【００８１】
かかる特徴によれば、無線基地局ｅＮＢにおいて、一度にルータ１に対して送信するＴＣＰ-ＡＣＫのデータ量を所定量Ｘ以下に制限することによって、ＴＣＰサーバ２において、次にルータ１に対して送信するＴＣＰパケットの数を、ルータ１において一度に処理することができるデータ量を超えないように調整することができる。
【００８２】
本実施形態の第３の特徴は、無線基地局ｅＮＢであって、移動局ＵＥからＴＣＰレイヤのデータを受信し、ルータ１からＴＣＰ-ＡＣＫを受信するように構成されている受信部１２と、ＴＣＰレイヤのデータをルータ１に対して送信し、ＴＣＰ-ＡＣＫを移動局ＵＥに対して送信するように構成されている送信部１３とを具備しており、送信部１３は、一度に移動局ＵＥに対して送信するＴＣＰ-ＡＣＫのデータ量を所定量以下に制限するように構成されていることを要旨とする。
【００８３】
かかる特徴によれば、無線基地局ｅＮＢにおいて、一度に移動局ＵＥに対して送信するＴＣＰ-ＡＣＫのデータ量を所定量Ｘ以下に制限することによって、移動局ＵＥにおいて、次に無線基地局ｅＮＢに対して送信するＴＣＰパケットの数を、ルータ１において一度に処理することができるデータ量を超えないように調整することができる。
【００８４】
本実施形態の第４の特徴は、無線基地局ｅＮＢであって、移動局ＵＥからＴＣＰレイヤのデータを受信し、ルータ１からＴＣＰ-ＡＣＫを受信するように構成されている受信部１２と、ＴＣＰレイヤのデータをルータ１に対して送信し、ＴＣＰ-ＡＣＫを移動局ＵＥに対して送信するように構成されている送信部１３とを具備しており、送信部１３は、一度にルータ１に対して送信するＴＣＰレイヤのデータ量を所定量以下に制限するように構成されていることを要旨とする。
【００８５】
かかる特徴によれば、無線基地局ｅＮＢにおいて、一度にルータ１に対して送信するＴＣＰパケットのデータ量を所定量Ｘ以下に制限することによって、無線基地局ｅＮＢにおいて、次にルータ１に対して送信するＴＣＰパケットの数を、ルータ１において一度に処理することができるデータ量を超えないように調整することができる。
【００８６】
なお、上述の移動局ＵＥや無線基地局ｅＮＢやルータ１やＴＣＰサーバ２の動作は、ハードウェアによって実施されてもよいし、プロセッサによって実行されるソフトウェアモジュールによって実施されてもよいし、両者の組み合わせによって実施されてもよい。
【００８７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢやルータ１やＴＣＰサーバ２内に設けられていてもよい。また、かかる記憶媒体及びプロセッサは、ディスクリートコンポーネントとして移動局ＵＥや無線基地局ｅＮＢやルータ１やＴＣＰサーバ２内に設けられていてもよい。
【００８９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９０】
１…ルータ
２…ＴＣＰサーバ
ｅＮＢ…無線基地局
ＵＥ…移動局
１１…算出部
１２…受信部
１３…送信部
【図１】
2014220612.tif 000003
【図２】
2014220612.tif 000004
【図３】
2014220612.tif 000005
【図４】
2014220612.tif 000006
【図５】
2014220612.tif 000007
【図６】
2014220612.tif 000008
【図７】
2014220612.tif 000009
【図８】
2014220612.tif 000010
【図９】
2014220612.tif 000011
【図１０】
2014220612.tif 000012